(57)【要約】【課題】  容易かつ能率的に安定した状態の敷設が可能な横断側溝の敷設方法および敷設方法に適用する基礎ブロックを提供すること。【解決手段】  側溝本体２を設置する対接部６ａに勾配を付与すると共に、底面部６ｂを水平に形成したくさび状主部６がある基礎ブロック５を、底部が水平に掘削形成された溝Ｃ内に底面部６ｂがほぼ水平となる状態に据付けた後、この基礎ブロック５上に側溝本体２を設置することを主要特徴とする。【選択図】        図１
2006063770.tif 000002
【特許請求の範囲】
【請求項１】
側溝本体（２）を設置する対接部（６ａ）に勾配を付与すると共に、底面部（６ｂ）を水平に形成したくさび状主部（６）がある基礎ブロック（５）を、底面が水平に掘削形成された溝（Ｃ）内に底面部（６ｂ）がほぼ水平となる状態に据付けた後、この基礎ブロック（５）上に側溝本体（２）を設置することを特徴とする横断側溝の敷設方法。
【請求項２】
くさび状主部（６）の先端縁に立上がり状態の支持用凸部（７）を形成した基礎ブロック（５）を採択すると共に、側溝本体（２）の下端寄り側面が支持用凸部（７）に当接する状態に設置するようにした請求項１に記載の横断側溝の敷設方法。
【請求項３】
くさび状主部（６）における後端縁に立上がり状態の抑止用凸部（８）を形成した基礎ブロック（５）を採択すると共に、この基礎ブロック（５）上に側溝本体（２）を載置した後、側溝本体（２）の下端寄り側面と抑止用凸部（８）との間隙に、固定手段（９）を施すようにした請求項２に記載の横断側溝の敷設方法。
【請求項４】
側溝本体（５）を設置する対接部（６ａ）に勾配を付与すると共に、底面部（６ｂ）を水平に形成したくさび状主部（６）を有することを特徴とする基礎ブロック。
【請求項５】
くさび状主部（６）の先端縁に立上がり状態の支持用凸部（７）を形成した請求項４に記載の基礎ブロック。
【請求項６】
くさび状主部（６）の後端縁に立上がり状態の抑止用凸部（８）を形成した請求項５に記載の基礎ブロック。
【発明の詳細な説明】
【技術分野】
【０００１】  本発明は、勾配付道路に敷設する横断側溝の敷設方法および側溝用の基礎ブロックに関するものである。
【背景技術】
【０００２】  側溝を例えば図２の（ａ）（ｂ）（ｃ）のように、道路Ｒに横断状態に設置する場合、特に林道等の排水用として横断状態に設置する場合は、概ね路面は勾配が付いており、従って横断側溝も路面の勾配に応じて横に傾斜した状態に設置する必要がある。【０００３】  従来普通のこの種の横断側溝の敷設方法としては、図５のように、先ず設置位置に道路の勾配にほぼ合致する溝底が勾配となるように目測で溝を掘削して砕石を敷き詰めた後、この砕石上に平面部と平面部の端縁から立上がる凸部とからなる断面Ｌ字状の基礎ブロックを道路の勾配に合致する状態に設置すると共に、平面部に設けた挿入用孔に挿入したアンカー筋を砕石まで打ち込んで基礎ブロックの滑動を防止する状態に据付け、その後側溝を基礎ブロックにおける平面部に載置して据付けるようにしている。（例えば特許文献１の図４参照）
【特許文献１】    特開２０００−８７４４０
【発明の開示】
【発明が解決しようとする課題】
【０００４】  上記従来の横断側溝の敷設方法においては、溝底を傾斜状態に掘削形成して砕石をその表部が傾斜状態となるように敷き詰めた後、基礎ブロックを道路の勾配に合致する状態に据付ける必要がある関係上、作業が煩雑かつ非能率的であり、工事コストが嵩む欠点があるばかりでなく、基礎ブロック自体が傾斜状態の砕石上に載置されている関係上、傾斜面に沿って滑動し易く不安定であり、従って基礎ブロック自体をアンカー筋により固定しなければならない重大欠点がある。また、断面Ｌ字状の基礎ブロックを使用し、その凸部に側溝の片側の底部隅角部を当接するように載置しても、他側の底部隅角部は固定されていない状態であるから、安定的載置が期待できない欠陥がある。そこで本発明の目的は、容易かつ能率的に安定した状態の敷設が可能な横断側溝の敷設方法および敷設方法に適用する基礎ブロックを提供することにある。
【課題を解決するための手段】
【０００５】  上記目的を達成するため、請求項１の発明は、側溝を設置する対接部に勾配を付与したくさび状の基礎ブロックを掘削溝内に底面部がほぼ水平となる状態に据付けた後、この基礎ブロック上に側溝を設置することを特徴とした横断側溝の敷設方法であり、請求項２の発明は、先端縁に立上がる支持用凸部があるくさび状の基礎ブロックを使用して側溝をその下端寄り側面が支持用凸部に当接する状態に設置するようにした請求項１に記載の横断側溝の敷設方法であり、請求項３の発明は、先端縁および後端縁にそれぞれ立上がる支持用凸部および抑止用凸部があるくさび状の基礎ブロックを据付けた後、この基礎ブロック上に側溝を載置し、かつ抑止用凸部と側溝本体の下端寄り部側面との間隙に固定手段を施したことを特徴とする横断側溝の敷設方法である。【０００６】  また、請求項４，請求項５，請求項６の発明は、それぞれ側溝の設置対接部に勾配を付与したくさび状主体を有することを特徴とする基礎ブロック，くさび状主体の先端縁に立上がる支持用凸部を有することを特徴とする基礎ブロック，くさび状主体の先端縁および後端縁にそれぞれ立上がる支持用凸部および抑止用凸部を有することを特徴とする基礎ブロックである。
【発明の効果】
【０００７】  基礎ブロックの採用により、現場打ちコンクリートのような、面倒な作業およびコンクリート養生時間が不要である関係上、工期が大幅に短縮される利点があるほか、請求項１の発明によれば、道路に掘削する溝底面を水平に形成し、道路の勾配に対応したくさび状基礎ブロックを選択して掘削溝内に据え付ければよく、従来技術のような特定勾配に据え付けることなく、水平に据え付ければよいのであるから、道路の掘削並びに据え付け作業が著しく容易かつ能率的となり、かつ基礎ブロック自体を水平な砕石上に据え付ける関係上、従来技術のようなアンカー筋を使用することなく、安定的に設置することができ、これに伴い基礎ブロック上に据え付ける側溝も安定的に設置することができる。請求項２の発明は、側溝を正確な位置決めのもとに安定的に設置することができ、また請求項３の発明は、側溝と基礎ブロックとを固定し、これにより車両の通過による振動の影響を軽減して設置状態を長期に安定して確保することができる。【０００８】  請求項４，請求項５，請求項６の発明は、それぞれ請求項１，請求項２，請求項３の発明に使用して自体の掘削溝内への据え付け並びに側溝の正確な位置決めのもとに安定的に設置することができ、なお、勾配の異なる複数種の基礎ブロックを製作し、施工に際し道路の勾配に合致した基礎ブロックを選択することにより、勾配の異なる道路に容易に即応することができる。
【発明を実施するための最良の形態】
【０００９】  以下、本発明を図示の実施形態について詳細に説明するが、適用対象としての横断側溝としては、例えば図１に示すように、グレーチング蓋１を側溝本体２の蓋受段部３に落蓋形式に嵌設してねじ４により緊締する所謂Ｕ字状側溝を採択するのが重要である。【００１０】  上記側溝の敷設方法としては、側溝本体２を設置するための基礎ブロック５として図１のように、側溝本体２の設置に適応する上向き対接部６ａに勾配を付与すると共に、底面部６ｂを水平に形成したくさび状主部６と、このくさび状主部６の先端縁および後端縁に各別に立上がる支持用凸部７および抑止用凸部８を有する構成とし、プレキャストにより成形する。なお、基礎ブロック５は勾配の異なる複数種（例えば３％，５％，７％，９％等の勾配）を予め製作し、施工に際し道路の勾配に合致した基礎ブロック５を選択することにより、勾配の異なる道路に対して容易に対応することができる。【００１１】  側溝の敷設に先立ち、図３のように溝底が水平状態の溝Ｃを掘削形成して砕石Ｓをその表部が水平状態となるように敷き詰め均した後、道路Ｒの勾配に合致する対接部６ａを有する基礎ブロック５を選択して水平状態の砕石Ｓ上に据付ける。その後図１のように、基礎ブロック５の勾配付きの上向き対接部６ａ上に側溝本体２をその底部端縁が支持用凸部７に当接する状態に載置し、かつ側溝本体２における底部端縁と抑止用凸部８との間隙に、コンクリートの充填等による固定手段９を施して側溝本体２を基礎ブロック５上に固定状態のもとに安定的に設置するのである。なお、溝Ｃと側溝本体２との空隙を埋め戻すこと当然である。【００１２】  上記固定手段９としては、単にコンクリートを充填するだけでなく、図４の（ａ）のように基礎ブロック５にインサートナット１０を設けると共に、このインサートナット１０に全ねじロッド製アンカーボルト１１をねじ込んで植設した後、アンカーボルト１１が埋没する状態にコンクリートを充填するのが望ましく、あるいは図４の（ｂ）のように石塊，コンクリート塊，プラスチック塊等の粒状充填材１２を密に充填してもよく、なお充填材１２の隙間に更にコンクリートを充填してもよく、あるいは図４の（ｃ）のようにコンクリート製またはプラスチック製のくさび１３を嵌着してもよく、更にくさび１３は長いものを使用してもよいが、短いものを所々に嵌着すると共に、くさび１３同士の間隙にコンクリートを充填してもよく、あるいは図４の（ｄ）のようにコンクリート製またはプラスチック製の球体１４を押し込んで、突つ張り作用のもとに固定させるようにしてもよく、球体１４は自重による食い込み作用により強固に固定する利点があり、更に球体１４に加えてコンクリートを充填してもよい。
【図面の簡単な説明】
【００１３】
【図１】  本発明の一実施形態を示す敷設状態の縦断面図である。
【図２】  横断側溝の敷設状態の平面図である。
【図３】  図１の実施形態の敷設過程の縦断面図である。
【図４】  他の実施形態の要部を示す縦断面図である。
【図５】  従来技術の敷設構造を示す縦断側面図である。
【符号の説明】
【００１４】  ２  側溝本体
５  基礎ブロック
６  くさび状主部
６ａ  対接部
６ｂ  底面部
７  支持用凸部
８  抑止用凸部
９  固定手段
Ｃ  溝
【図１】
2006063770.tif 000003
【図２】
2006063770.tif 000004
【図３】
2006063770.tif 000005
【図４】
2006063770.tif 000006
【図５】
2006063770.tif 000007